(57)【特許請求の範囲】
【請求項１】
遊技盤表面の遊技領域を前面枠の開口部に臨ませ、この前面枠を機枠に対して開閉可能に取り付けた遊技機において、
前記前面枠は、開口部の外側の表面一側に前面枠側軸支部材を設け、この前面枠側軸支部材と前面カバー部材側軸支部材とにより、前面枠の前面を覆う前面カバー部材を開閉可能に取り付け、
前面カバー部材の裏面側に、前面カバー部材の開口部を裏側から塞いで遊技盤の遊技領域の前方を覆う透明部材を配置するとともに、該透明部材を保持する透明部材保持枠を設け、
前面カバー部材の軸着側の裏面であって上記透明部材保持枠の外側に、前面枠側に対する開閉状態を電気的に検出する前面カバー部材開閉スイッチを設け、
前記前面枠側軸支部材は、
前面枠の表面に止着される上下方向に長尺なベース板と、このベース板の上部と下部に配設されて前面カバー部材側軸支部材と接続するヒンジ部と、ベース板から前方に向けて起立した不正防止壁部とにより構成され、
前面カバー部材を閉じた状態で前記不正防止壁部の内側に位置するように前面カバー部材開閉スイッチを前面カバー部材の裏面側に配設するとともに、前面カバー部材開閉スイッチへの配線が、前面カバー部材を閉じた状態で前記不正防止壁部の内側に配置するようにしたことを特徴とする遊技機。
【請求項２】
前面カバー部材裏面の取付部にスイッチ取付ベースを取り付け、このスイッチ取付ベースに前面カバー部材開閉スイッチを取り付け、該前面カバー部材開閉スイッチのアクチュエータを前面枠側軸支部材のベース板の表面に当接可能としたことを特徴とする請求項１に記載の遊技機。
【請求項３】
前面カバー部材の裏側に、前面カバー部材裏面との間に配線通過空部を空けた状態で配線処理板材を取り付け、
前記前面カバー部材開閉スイッチへの配線は、配線の先端にコネクタを設け、このコネクタを前面カバー部材開閉スイッチの端子に差し込むことにより接続し、前記配線通過空部内を通し、前期配線処理板材に形成された切欠部から前面枠の開口部内を通すようにしたことを特徴とする請求項１または２に記載の遊技機。
【発明の詳細な説明】
【０００１】
【発明の属する技術分野】
本発明は、ガラス板などの透明部材を備えた前面カバー部材を前面枠に開閉可能に取り付けたパチンコ遊技機などの遊技機に関するものである。
【０００２】
【従来の技術】
従来の遊技機、例えばパチンコ遊技機においては、遊技盤の遊技領域内に遊技球が引っ掛かることがあり、この場合には係員がガラス枠を開放して前方から遊技球を手で取り除くことによりトラブルを解決する。このため、遊技盤を設けた前面枠の開口部には、ガラス枠を開閉可能な状態で取り付けていた。そして、営業中はガラス枠がしっかり閉じていないと隙間から不正な行為がなされてしまうので、ガラス枠の開閉状態を検出するスイッチを設けることが必要である。
【０００３】
従来のパチンコ遊技機は、ガラス枠の下方に開閉可能に設けた開閉パネル側に上記スイッチを取り付けていた。
【０００４】
【発明が解決しようとする課題】
しかしながら、開閉パネル側にスイッチを設けると、開閉パネルとガラス枠が同時に開放した状態ではガラス枠の開放を検出することができない。
【０００５】
また、前面枠にスイッチを設けることも考えられるが、この場合には、遊技盤の交換に邪魔になる位置に設けることはできないし、スイッチの取付位置に制限が多い。このため、前面枠の開口部から遠く離れたヒンジ軸寄りに取り付けなければならない。しかし、これではスイッチの応答性が不充分である。即ち、ヒンジ軸寄りに取り付けると、ガラス枠が僅かに開いただけではスイッチのアクチュエータのストロークが不充分であって検出できない。また、スイッチを前面枠に設けると、係員がガラス枠を開いて作業を行なう時に、誤ってスイッチを押してしまう不都合がある。
【０００６】
一方、ガラス枠の自由端側（施錠金具側）にスイッチを設けると、ガラス枠を閉じた際の衝撃がそのままスイッチに作用してしまうので、耐久性に問題を生じる。
【０００７】
本発明は上記した事情に鑑み提案されたもので、その目的は、前面カバー部材の開放を検出するスイッチの応答性に優れ、係員が作業を行なうときにも誤ってスイッチを押してしまうことのない遊技機を提供しようとするものである。
【０００８】
【課題を解決するための手段】
本発明は上記目的を達成するために提案されたもので、請求項１に記載のものは、遊技盤表面の遊技領域を前面枠の開口部に臨ませ、この前面枠を機枠に対して開閉可能に取り付けた遊技機において、
前記前面枠は、開口部の外側の表面一側に前面枠側軸支部材を設け、この前面枠側軸支部材と前面カバー部材側軸支部材とにより、前面枠の前面を覆う前面カバー部材を開閉可能に取り付け、
前面カバー部材の裏面側に、前面カバー部材の開口部を裏側から塞いで遊技盤の遊技領域の前方を覆う透明部材を配置するとともに、該透明部材を保持する透明部材保持枠を設け、
前面カバー部材の軸着側の裏面であって上記透明部材保持枠の外側に、前面枠側に対する開閉状態を電気的に検出する前面カバー部材開閉スイッチを設け、
前記前面枠側軸支部材は、
前面枠の表面に止着される上下方向に長尺なベース板と、このベース板の上部と下部に配設されて前面カバー部材側軸支部材と接続するヒンジ部と、ベース板から前方に向けて起立した不正防止壁部とにより構成され、
前面カバー部材を閉じた状態で前記不正防止壁部の内側に位置するように前面カバー部材開閉スイッチを前面カバー部材の裏面側に配設するとともに、前面カバー部材開閉スイッチへの配線が、前面カバー部材を閉じた状態で前記不正防止壁部の内側に配置するようにしたことを特徴とする遊技機である。
【０００９】
請求項２に記載のものは、前面カバー部材裏面の取付部にスイッチ取付ベースを取り付け、このスイッチ取付ベースに前面カバー部材開閉スイッチを取り付けて該前面カバー部材開閉スイッチのアクチュエータを前面枠側軸支部材のベース板の表面に当接可能としたことを特徴とする請求項１に記載の遊技機である。
【００１０】
請求項３に記載のものは、前面カバー部材の裏側に、前面カバー部材裏面との間に配線通過空部を空けた状態で配線処理板材を取り付け、
前記前面カバー部材開閉スイッチへの配線は、配線の先端にコネクタを設け、このコネクタを前面カバー部材開閉スイッチの端子に差し込むことにより接続し、前記配線通過空部内を通し、前期配線処理板材に形成された切欠部から前面枠の開口部内を通すようにしたことを特徴とする請求項１または２に記載の遊技機である。
【００１１】
【発明の実施の形態】
以下、本発明の実施の形態を図面に基づいて説明する。
図１は代表的な遊技機であるパチンコ遊技機１の正面図、図２は前面枠２と前面カバー部材３と開閉パネル４を開いた状態におけるパチンコ遊技機１の斜視図である。
【００１２】
パチンコ遊技機１は、パチンコ機本体５と、遊技カードに記憶された情報の読み書き等を行うカードユニット６とから概略構成されている。
【００１３】
パチンコ機本体５は、機枠７により囲われ、この機枠７に、大きな開口部を有する額縁状の前面枠２を開閉可能に取り付け、前面枠２の背面には、開口部を後方から塞ぐ様にして遊技盤収納フレーム１０を後方から止着するとともに、この遊技盤収納フレーム１０の下部にフレームボード１１を設け、フレームボード１１の上面に形成した遊技盤載置部１２上に遊技盤１３を載せた状態で遊技盤収納フレーム１０内に遊技盤１３を収納してある。なお、遊技盤１３の表面には、ガイドレール等の区画部材によりほぼ円形の遊技領域１４を形成し、この遊技領域１４内に可変表示装置１５や大入賞口１６などの入賞具を配設するとともに障害釘を植設する。また、フレームボード１１の前面には、発射レール１７やファール球回収路１８などを形成する。
【００１４】
また、前面枠２の前面には、開口部を前方から塞ぐようにして前面カバー部材３と開閉パネル４を開閉可能に取り付けるとともに、開閉パネル４の下方に下皿１９を、その左側に灰皿２０を、右側に発射操作部２１をそれぞれ設け、開閉パネル４の前面には上皿２２を設け、裏面には上皿２２から導入した遊技球を１個ずつ発射レール１７上に供給する球供給機構２３を設ける。
【００１５】
前面カバー部材３は、大きな開口部を透明部材で塞いだ額縁状の部材であり、透明部材により遊技盤１３の遊技領域１４を前方から覆って、遊技者が透明部材を通して遊技領域１４を見えるようにしたものである。
【００１６】
具体的な構成を説明すると、図３に示すように、開口部の周りが前方に向かって緩やかな曲線で膨出した形状を有するプラスチック製の枠体２４と、この枠体２４の開口部を後方から塞ぐ２枚の前面ガラス２５と、枠体２４の裏面で透明部材としての前面ガラス２５を保持するガラス保持枠２６とが主要な構成部材であり、図１に示すように、枠体２４の開口部の開口内縁にはプラスチック製装飾板２７を取り付けるとともに上部には装飾ランプのレンズ部材２８を一体的に設けてある。また、図３に示すように、枠体２４の裏面には、断面略Ｗ字状の溝を有する金属製の下枠材２９と左右の縦枠材３０を取り付けるとともに、左右の縦枠材３０の上端同士を棒状の上横材３１で接続することにより口字状のガラス保持枠２６を構成し、このガラス保持枠２６のＷ字状溝内に前面ガラス２５を上方から嵌合して保持する。
【００１７】
そして、この前面カバー部材３を前面枠２に対して開閉可能な状態で取り付けるために、枠体２４の裏面の一側上下に前面カバー部材側軸支部材３３を設ける。上部に設ける前面カバー部材側軸支部材３３ａは、枠体２４の裏面に固定したベース板３４に、軸３５を上下動可能な状態で上向きに設け、この軸３５を上端が突出する方向に付勢するスプリング３６を設けた金具である。一方、下部に設ける前面カバー部材側軸支部材３３ｂは、枠体２４の裏面に固定したベース板３７の下端をほぼ水平に屈曲し、この水平部分に軸受孔３８を開設した金具である。
【００１８】
この様な構成からなる前面カバー部材側軸支部材３３と接続してヒンジ機構を構成する前面枠側軸支部材４０は、前面枠２の開口部の外側の表面一側に設けられ、前面枠２の表面に止着される上下方向に長尺な金属板製のベース板４１と、このベース板４１の上部に配設されて前面カバー部材側軸支部材３３ａと接続するヒンジ部４２と、ベース板４１から前方に向けてほぼ全長に亘って起立した不正防止壁部４３とからなる。そして、ベース板４１の上部に設けるヒンジ部４２ａは、ベース板４１の一部をほぼ水平に屈曲し、この水平部分に軸孔４４を開設して構成されている。一方、ベース板４１の下部に設けるヒンジ部４２ｂは、ベース板４１の一部をほぼ水平に屈曲し、この水平部分に軸４５を上向きに突設してなる。
【００１９】
前面カバー部材３を前面枠２に開閉可能な状態で取り付けるには、先ず前面カバー部材３の上端を手前に傾けた状態で前面カバー部材側軸支部材３３の下部の軸受孔３８内に、前面枠側軸支部材４０の軸４５を嵌合し、この状態で前面カバー部材３をほぼ垂直に起こして、前面カバー部材側軸支部材３３ａの軸３５をスプリング３６の付勢に抗して手で一旦下降してから該軸３５の上端を前面枠側軸支部材４０の軸孔４４内に嵌合する。この様にして前面カバー部材側軸支部材３３を前面枠側軸支部材４０に軸着すると、両軸支部材３３，４０がヒンジ機構を構成し、軸３５，４５を中心にして前面カバー部材３を回動自在な状態、即ち前面枠２に対して開閉自在な状態で取り付けることができる。
【００２０】
そして、前面カバー部材３の自由端側の背面には前面枠２側に設けてある施錠機構の係合部４６が設けてあるので、前面カバー部材３を閉めて前面カバー部材３の自由端側を前面枠２側に押圧すると、係合部４６が施錠機構に係合して施錠することができる。なお、施錠機構の鍵穴４７を前面枠２の右側に設けてあるので、この鍵穴４７に鍵を挿入して一方に回動すると施錠機構を解錠することができ、前面カバー部材３の自由端側を手前に回動することにより開放することができる。
【００２１】
次に、前面カバー部材開閉スイッチの取付構造について説明する。本実施形態では、前面カバー部材開閉スイッチとしてマイクロスイッチ５０を使用する。このマイクロスイッチ５０を前面カバー部材３の裏側に取り付けるには、図５に示すように、前面カバー部材３の裏面であって、前面カバー部材３を閉じた状態で前面枠２表面に起立した不正防止壁部４３よりも内側（パチンコ機本体５の中央寄り）となる部分に柱状の取付部５１を一体成型し、この取付部５１の先端にスイッチ取付ベース５２をネジ５３により固定する。スイッチ取付ベース５２は金属板を断面略Ｌ字状に屈曲した板材であり、一方の片を取付部５１の先端に当ててネジにより固定し、他方の片にマイクロスイッチ５０をネジ５４によって取り付ける。この場合、マイクロスイッチ５０のアクチュエータ５５を前面枠２側に向けた状態で取り付け、前面枠２を閉じた状態でアクチュエータ５５が前面枠２のベース板４１の表面に当接可能とする。
【００２２】
また、図４に示すように、前面カバー部材３の裏側の軸着側には、前面カバー部材３の裏面との間に配線通過空部を空けた状態で配線処理板材５６を取り付けてある。そして、マイクロスイッチ５０への配線５７は、配線５７の先端に設けたコネクタ５８をマイクロスイッチ５０の端子に差し込むことにより接続し、このマイクロスイッチ５０への配線５７は、前面枠２のランプ表示器等の配線と共に上記配線通過空部内を通し、配線処理板材５６の上下方向のほぼ中央に形成した略円弧状切欠部５９から前面枠２の開口部内を通し、遊技盤収納フレーム１０の側面を一部切り起こして開設した貫通開口６０内を通して裏機構盤の役物制御装置などに接続する。
【００２３】
上記した構成からなる前面カバー部材３においては、開いた状態ではマイクロスイッチ５０のアクチュエータ５５が内部のスプリングの付勢力により突出されており、この状態ではマイクロスイッチ５０からは開信号、例えば「Ｈ」信号が送出される。そして、マイクロスイッチ５０から開信号が送出されると、この開信号に基づいて、制御装置がパチンコ遊技機１前面の表示ランプや呼出ランプを点滅したり、或はスピーカーから警報を鳴らすなどして、係員等にその旨を報知する。なお、報知の手段は、適宜設定することができる。
【００２４】
一方、前面カバー部材３の自由端側を前面枠２側に回動し、背面の係合部４６が施錠機構に係合して施錠されるまで十分に閉じると、マイクロスイッチ５０のアクチュエータ５５が前面枠２のベース板４１の表面に当接して押圧される。アクチュエータ５５への押圧力が十分であればマイクロスイッチ５０が電気的に状態を変化させて閉信号、例えば「Ｌ」信号を送出する。
【００２５】
なお、前面カバー部材３が十分に閉じられていない場合、例えば前面カバー部材３の前面枠２側への押圧力が不足して係合部４６が施錠機構に係合しなかった場合、アクチュエータ５５への押圧力が不充分なので、マイクロスイッチ５０が電気的状態を変化させることなく開信号（「Ｈ」信号）を送出し続ける。
【００２６】
この様に、前面カバー部材３が一見して閉じた状態であっても十分に閉じていない状態では、マイクロスイッチ５０が前面カバー部材３の軸着基端（具体的には軸３５，４５）から十分に離隔して遊技盤１３の近傍に配置されており、この軸着基端からの距離がマイクロスイッチ５０の応答性を高めるので、前面カバー部材３が僅かに開いていてもマイクロスイッチ５０のアクチュエータ５５が十分に突出して感知できる。したがって、前面カバー部材３が僅かに開いた状態であってもマイクロスイッチ５０から開信号が送出され、この開信号に基づいてパチンコ遊技機１のランプ表示器や呼出ランプなどが点滅するなどして、係員にその旨を報知することができる。このため、係員はこれら報知により前面カバー部材３が不完全な閉状態であることを認識でき、当該パチンコ遊技機１に赴いて前面カバー部材３を完全に閉じることができる。
【００２７】
また、遊技者が不正に入手した鍵を使って解錠し、前面カバー部材３を少し開いて不正行為を行なおうとした場合も、前記と同様に、応答性に優れたマイクロスイッチ５０から開信号が送出されるので、係員が前面カバー部材３の開状態を発見することができる。このため、前面カバー部材３を少し開いて行なう不正行為を確実に防止することができる。
【００２８】
そして、前面カバー部材３が閉じられた状態で、前面カバー部材３と前面枠２との間に剃刀の刃などを挿入してマイクロスイッチ５０の配線を切断しようとしても、挿入した刃の先端は不正防止壁部４３に当たって侵入を阻止され、不正防止壁部４３の内側に配置されたマイクロスイッチ５０やその配線５７に届かない。したがって、マイクロスイッチ５０やその配線５７に対する不正行為を確実に防止することができる。
【００２９】
また、遊技領域１４の障害釘に遊技球が引っ掛かるなどのトラブルが発生した場合、前面カバー部材３を開いてトラブルを解消することができる。そして、前面カバー部材３を開いて係員が修復作業を行なう場合、マイクロスイッチ５０が前面カバー部材３側に設けられているので、遊技盤１３側に対する修復作業を行なっている間に誤ってマイクロスイッチ５０に触れることもない。
【００３０】
そして、前面カバー部材３を開くとアクチュエータ５５への押圧力がなくなってマイクロスイッチ５０内部のスプリングの付勢力によりアクチュエータ５５が無負荷状態での初期位置に復帰するので、マイクロスイッチ５０は開信号（「Ｈ」信号）を送出する。
【００３１】
トラブルが解決されて前面カバー部材３を勢い良く閉めても、衝撃が最も大きな前面カバー部材３の自由端から離れた位置にマイクロスイッチ５０を配置してあるので、このマイクロスイッチ５０に不都合な衝撃が伝わることがない。したがって、マイクロスイッチ５０の耐久性を高めることができる。
【００３２】
なお、前記した実施形態では前面カバー部材開閉スイッチとしてマイクロスイッチ５０を用いたが、本発明はこれに限定されるものではなく、どのような構成のスイッチでもよい。例えば、フォトセンサを用いてもよく、この場合は前面枠２側に設けた遮光部材がアクチュエータ５５として機能する。
【００３３】
また、本発明は、前記したパチンコ遊技機１に限定されるものではなく、雀球遊技機やアレンジボール遊技機などでもよい。
【００３４】
【発明の効果】
以上説明したように本発明によれば、以下の効果を奏する。
請求項１の発明によれば、前面カバー部材の軸着側の裏面であって透明部材保持枠の外側に、前面枠側に対する開閉状態を電気的に検出する前面カバー部材開閉スイッチを設けたので、この前面カバー部材開閉スイッチの位置を、従来に比較して、軸着基端からの距離を大きく採ることができ、これにより開閉検出の応答性を高めることができる。したがって、前面カバー部材が僅かに開いた状態まで確実に検出することができる。そして、前面カバー部材開閉スイッチを前面カバー部材の軸着側に配置したので、前面カバー部材を勢い良く閉じても大きな衝撃が伝わることがなく、耐久性に優れる。
また、係員が前面カバー部材を開いて作業を行なう時に、誤って前面カバー部材開閉スイッチを押してしまう不都合を解消することができる。
【００３５】
また、前面枠側軸支部材は、前面枠の表面に止着される上下方向に長尺なベース板と、このベース板の上部と下部に配設されて前面カバー部材側軸支部材と接続するヒンジ部と、ベース板から前方に向けて起立した不正防止壁部とにより構成され、前面カバー部材を閉じた状態で前記不正防止壁部の内側に位置するように前面カバー部材開閉スイッチを前面カバー部材の裏面側に配設するとともに、前面カバー部材開閉スイッチへの配線が、前面カバー部材を閉じた状態で前記不正防止壁部の内側に配置したので、前面カバー部材が閉じられた状態で、前面カバー部材と前面枠２との間に剃刀の刃などを挿入して前面カバー部材開閉スイッチの配線を切断しようとしても、挿入した刃の先端は不正防止壁部に当たって侵入を阻止され、不正防止壁部の内側に配置された前面カバー部材開閉スイッチやその配線に届かない。したがって、前面カバー部材開閉スイッチやその配線に対する不正行為を確実に防止することができる。
【００３６】
請求項２の発明によれば、前面カバー部材裏面の取付部にスイッチ取付ベースを取り付け、このスイッチ取付ベースに前面カバー部材開閉スイッチを取り付けて該前面カバー部材開閉スイッチのアクチュエータを前面枠側軸支部材のベース板の表面に当接可能とすると、前面カバー部材開閉スイッチの取付作業が容易であり、また、この前面カバー部材の開閉動作に伴ってアクチュエータが確実に開閉動作を伝達することができる。
【００３７】
請求項３の発明によれば、前面カバー部材の裏側に、前面カバー部材裏面との間に配線通過空部を空けた状態で配線処理板材を取り付け、前記前面カバー部材開閉スイッチへの配線は、配線の先端にコネクタを設け、このコネクタを前面カバー部材開閉スイッチの端子に差し込むことにより接続し、前記配線通過空部内を通し、前期配線処理板材に形成された切欠部から前面枠の開口部内を通すようにしたので、前面カバー部材開閉スイッチに対する配線作業を容易に行なうことができるとともに、この配線を整然と処理することができる。
【図面の簡単な説明】
【図１】パチンコ遊技機の正面図である。
【図２】前面枠と前面カバー部材と開閉パネルを開放した状態におけるパチンコ機本体の斜視図である。
【図３】前面カバー部材の背面図である。
【図４】前面枠に対する前面カバー部材の取付状態を示す斜視図である。
【図５】前面カバー部材開閉スイッチの取付状態を示す前面枠及びカバー部材の断面図である。
【図６】前面カバー部材開閉スイッチの斜視図である。
【符号の説明】
１  パチンコ遊技機
２  前面枠
３  前面カバー部材
４  開閉パネル
５  パチンコ機本体
６  カードユニット
７  機枠
１０  遊技盤収納フレーム
１１  フレームボード
１２  遊技盤載置部
１３  遊技盤
１４  遊技領域
１５  可変表示装置
１６  大入賞口
１７  発射レール
１８  ファール球回収路
１９  下皿
２０  灰皿
２１  発射操作部
２２  上皿
２３  球供給機構
２４  枠体
２５  前面ガラス
２６  ガラス保持枠
２７  装飾板
２８  レンズ部材
２９  下枠材
３０  縦枠材
３１  上枠材
３３  前面カバー部材側軸支部材
３４  ベース板
３５  軸
３６  スプリング
３７  ベース板
３８  軸受孔
４０  前面枠側軸支部材
４１  ベース部材
４２  ヒンジ部
４３  不正防止壁部
４４  軸孔
４５  軸
４６  施錠機構の係合部
４７  鍵穴
５０  前面カバー部材開閉スイッチとしてのマイクロスイッチ
５１  取付部
５２  スイッチ取付ベース
５３，５４  ネジ
５５  アクチュエータ
５６  配線処理板材
５７  配線
５８  コネクタ
５９  切欠部
６０  貫通開口
【図１】
0003833374.tif 000002
【図２】
0003833374.tif 000003
【図３】
0003833374.tif 000004
【図４】
0003833374.tif 000005
【図５】
0003833374.tif 000006
【図６】
0003833374.tif 000007